(57)【特許請求の範囲】
【請求項１】
妊産婦の生体に近似した触感と妊産婦としての機能を模した構造を有し、下肢には股間節、膝関節を装着させて開脚を自由にし、股関節に硬軟を付けて可動と固定を自由に調節できる妊産婦の全身モデルであって、乳房部位には模擬乳腺を組み込み、腹部及び下腹部は表皮を着脱式とし、下腹部腔内には子宮模型及び潤滑剤を塗布した胎児模型を挿入して分娩状態を習得すると共に、模擬軟産道と模擬外性器・会陰部は柔軟性と伸展性の材質で構成されていることを特徴とする妊産婦の全身モデル。
【発明の詳細な説明】
【０００１】
【発明の属する技術分野】
本発明は妊産婦の全身モデルに関する。
【０００２】
【従来技術】
妊産婦の状態に関連した医学教育、助産婦等の教育において腹部触診或いは内診による局所所見を正確に把握することは不可欠である。特に助産学教育では、妊産婦に対してのケアに必要な情報収集は、対象の生殖器に直接触れて診療（視診、聴診、計測診、内診等）を行い、妊娠、分娩時の診断、経過の予測、健康逸脱の早期発見などを総合的に診断する能力を育成する必要がある。しかし、これらの教育を臨床の場で患者を診察しながら行うことは患者の人権にかかわり、極めて困難な問題である。そして今日の少子化時代を迎え、ケアの対象者である妊産婦に数多く接して学習する機会は減少してきている。
そこで、従来より産婦人科に関連した医学模型を使用して前記の教育、訓練を実施することが行われている。例えば、乳房マッサージモデル、内診モデル、分娩介助モデル、産褥子宮触診モデル等である。これらのモデルは人体の各部分だけで構成されており、多くの看護教育機関や助産婦教育機関で活用されている。しかし、これらの人体の部分的なモデルでは統合して妊産婦の全身を系統的に観察してケアのできるモデルとしては活用することは出来なかった。
【０００３】
【発明が解決しようとする課題】
本発明者は上記の問題を解決すべく種々検討した結果、本発明を完成したもので、本発明の目的は妊産婦全身モデルによって妊娠期、分娩期、産褥期の診断教育及び技術の演習が出来るような妊産婦全身モデルを提供することである。
【０００４】
【課題を解決するための手段】
本発明の要旨は、妊産婦の生体に近似した触感と妊産婦としての機能を模した構造を有し、下肢には股間節、膝関節を装着させて開脚を自由にし、股関節に硬軟を付けて可動と固定を自由に調節できる妊産婦の全身モデルであって、乳房部位には模擬乳腺を組み込み、腹部及び下腹部は表皮を脱着式とし、下腹部腔内には子宮模型及び潤滑油を塗布した胎児模型を挿入して分娩状態を習得すると共に、模擬軟産道と模擬外性器・会陰部は柔軟性と伸展性の材質で構成されていることを特徴とする妊産婦の全身モデルである。
【０００５】
即ち、本発明は従来のような部分的なモデルではなく、下肢には股関節、膝関節を装着させて開脚を自由にし、股関節に硬軟を付けて可動と固定を自由に調節できる妊産婦の全身モデルであるため、妊産婦の全体の動きに類似し、フリースタイルの分娩が可能であり、産婦が希望する分娩姿勢を想定して分娩介助が出来る。フリースタイルの姿勢をモデルにとらせ、その姿勢に応じて胎児モデルを回旋させることにより、フリースタイルの各体位による分娩介助の演習が行える。乳房部位には模擬乳腺を組み込んであるので、乳頭の触診、乳房の可動性の検査、乳頭マッサージなどの乳房ケアの基本訓練を行うことが出来る。更に、下腹部腔内には子宮模型及び胎児模型を挿入し、妊婦の腹部の観察、触診、子宮底の高さの計測、腹部の計測、胎児の心音の聴診、褥婦の子宮復古を可能とし、また、分娩介助においては、模擬軟産道と模擬外性器・会陰部は柔軟性と伸展性の材質で構成されているので、緊急時の対応として助産婦が修得しておかなければならない骨盤位の牽出術の演習が行えるようにした。更に胎児模型にグリセリン、ベビーオイル等の水溶性潤滑剤を塗布して胎児モデルを娩出させれば、出産時のように水を使用して胎児の洗浄、母体の外陰部の洗浄を行う技術を修得することができる。
胎盤娩出後に軟産道裂傷の有無を確認し、縫合の準備を行うが、助産婦も縫合の技術が必要である。そこで軟産道縫合モデルを装着して、裂傷縫合の演習ができるようにした。また、クレンメの装着の演習も可能である。
【０００６】
【発明の実施の形態】
以下、本発明について詳細に述べる。
本発明で妊産婦の生体に近似した触感を有するモデルとしては全身をシリコーンで構成することが好ましく、また、股関節に硬軟を付けて関節部分で可動性とする為に実際の股関節と同様な動きになるように、大腿部側回転軸には金属を用い、骨盤側には受け軸としてゴムまたはプラスチックスの弾性体で構成することが好ましい。従って、可動と固定が自在に調節できフリースタイルの分娩演習が可能となった。
【０００７】
【実施例】
次に、実施例として本発明の妊産婦の全身モデルについて、図面をもって具体的に説明する。
実施例１
図１は妊産婦の全身モデルの側面図、図２は胸部２、腹部３、下腹部４及び股関節部５の部分正面図、図３及び図４は胸部２、腹部３及び下腹部４の部分側面図、である。図において、本発明にかかる妊産婦の全身モデルは、頭部１、胸部２、腹部３、下腹部４、股関節５及び四肢部６よりなっている。胸部２にはふくらみをもった可動性の乳房を設け、内部に模擬乳腺を組み込んであるので、乳頭の触診、乳房の可動性の検査、乳頭マッサージなどの乳房ケアの基本訓練を行うことが出来る。腹部３及び下腹部４は表皮１０を着脱式とし、その内部に下腹部腔部を設け、胎児模型７及び子宮模型８を挿入できるようにしてある。下腹部腔部に胎児模型７を挿入し、子宮底の計測などを行うようにし、外部より心音コントロール１２を取付け胎児の心音の聴診を行うようにしてある。下腹部腔部に子宮模型８を挿入した場合、産褥期の子宮状態の正常、異常の診断を演習できるようにしてある。下腹部４は着脱式の外陰部９を設け、分娩時の介助の演習を産道１０に胎児模型を押し出すことにより分娩時の介助の演習を行うようにしてある。また、股関節部５は着脱式の外陰部９を設け、分娩時の介助の訓練を行うようにしてある。特に本発明においては、下肢に股関節、膝関節を設け、脚部を可動性としているので、分娩時の体位を変化させ、それに伴い、介助者の位置、介助方法などを修得することが出来る。
【０００８】
【発明の効果】
以上述べたように、本発明の妊産婦全身モデルにおいては、介助者または診断者の妊産婦に対する適切な位置を理解することが出来ると共に、女性の身体のおもむくままに、分娩の姿勢を自由にしフリースタイルに対応する技法の演習が可能となった。そして、総合的な診断からその後の状態の介護実習ができるようになった。
【図面の簡単な説明】
【図１】本発明にかかる妊産婦の全身モデルの側面図
【図２】胸部２、腹部３、下腹部４及び股関節部５の部分正面図
【図３】胸部２、腹部３、下腹部４及び股関節部５の部分正面図であって、模擬胎児を挿入した場合の側面図
【図４】胸部２、腹部３、下腹部４及び股関節部５の部分正面図であって、子宮模型を挿入した場合の側面図
【符号の説明】
１  妊産婦      ２  胸部      ３  腹部        ４  下腹部
５  股関節部      ６  四肢部      ７  胎児模型
８  子宮模型      ９  外陰部      １０  表皮      １１  産道
１２  心音コントローラ
【図１】
0004347453.tif 000002
【図２】
0004347453.tif 000003
【図３】
0004347453.tif 000004
【図４】
0004347453.tif 000005